(57)【特許請求の範囲】
【請求項１】
映像信号から垂直同期信号を検出し、上記垂直同期信号の検出によって、時刻データを取り込むステップと、
上記時刻データから上記垂直同期信号の周期が所定の範囲内か否かの判定を行うステップと、
上記周期が上記所定の範囲内と判定された場合、上記範囲内と判定された回数が所定の回数と等しいか否かの判定を行うステップと、
上記周期が上記所定の範囲外と判定された場合、上記範囲外と判定された回数が所定の回数と等しいか否かの判定を行うステップと、
上記周期が上記所定の範囲内と判定され、且つ上記範囲内と判定された回数が上記所定の回数と等しいと判定された場合、タイマを更新すると共に、上記映像信号を有意な信号と判定し、上記タイマにより規定される所定の時間を基準としてタイムアウトの判定を行うステップとからなり、
上記周期を判定する所定の範囲、上記範囲内および／または範囲外の回数を判定する所定の回数、および上記タイムアウトを判定する所定の時間は、外部から設定可能としたことを特徴とする映像信号検出方法。
【発明の詳細な説明】
【０００１】
【発明の属する技術分野】
この発明は、例えばＶＴＲ（Ｖｉｄｅｏ  Ｔａｐｅ  Ｒｅｃｏｄｅｒ）のように、チューナを内蔵する機器において、受信チャンネルが無信号か否かの判断を容易に行うことができる映像信号検出方法に関する。
【０００２】
【従来の技術】
例えば、民生用ＶＴＲにおける無信号検出は、一般に、チューナで受信された映像信号が鑑賞に耐えるか否かを判断するために使用される。ところが、チューナの受信環境は様々であり、またどの程度の画質を受信限界と見るかは、ユーザの主観による。そのため、製品がユーザの手に渡ってから無信号検出のしきい値を変更する必要がでてくる場合もある。
【０００３】
【発明が解決しようとする課題】
しかしながら、このような場合、無信号検出部を全てハードウェアで構成していると製品を解体してしきい値の変更のため部品を交換しなければならず、ユーザおよびメーカの両者にとって煩雑であった。
【０００４】
従って、この発明の目的は、画質の受信限界、すなわち無信号か否かを決定するしきい値を外部から供給することができる映像信号検出方法を提供することにある。
【０００５】
【課題を解決するための手段】
請求項１に記載の発明は、映像信号から垂直同期信号を検出し、垂直同期信号の検出によって、時刻データを取り込むステップと、
時刻データから垂直同期信号の周期が所定の範囲内か否かの判定を行うステップと、
周期が所定の範囲内と判定された場合、範囲内と判定された回数が所定の回数と等しいか否かの判定を行うステップと、
周期が所定の範囲外と判定された場合、範囲外と判定された回数が所定の回数と等しいか否かの判定を行うステップと、
周期が所定の範囲内と判定され、且つ範囲内と判定された回数が所定の回数と等しいと判定された場合、タイマを更新すると共に、映像信号を有意な信号と判定し、タイマにより規定される所定の時間を基準としてタイムアウトの判定を行うステップとからなり、
周期を判定する所定の範囲、範囲内および／または範囲外の回数を判定する所定の回数、およびタイムアウトを判定する所定の時間は、外部から設定可能としたことを特徴とする映像信号検出方法である。
【０００６】
受信した映像信号から垂直同期信号が検出され、この検出された垂直同期信号により取り込まれた時刻データからこの垂直同期信号の周期が測定される。測定された周期が所定の範囲内か否かを判断し、範囲外（ＮＧ）の場合その回数がｎ回を超えた場合、無信号とする。また、垂直同期信号が検出されなくなり、所定の時間を超えた（タイムアウト）場合、無信号と判定する。この周期の所定の範囲、ＮＧの回数（ｎ）およびタイムアウトの所定の時間の設定を外部から容易に変更できる。
【０００７】
【発明の実施の形態】
以下、この発明の一実施例について図面を参照して説明する。この発明の説明を容易とするために、この発明が適用される映像信号検出装置の一例を図１に示す。入力端子１から供給される映像信号は、垂直同期信号検出回路２へ供給される。垂直同期信号検出回路２では、供給された映像信号から垂直同期信号が検出される。検出された垂直同期信号は、垂直同期信号検出回路２からマイコン３へ供給される。マイコン３では、後述するように供給された垂直同期信号を用いて周期の測定が行われる。この測定結果とメモリ（例えばＥＥＰＲＯＭ）５から供給される設定データとを比較して、入力された映像信号が無信号か否かの検出を行う。この無信号か否かの判定結果は、無信号検出フラグとして、図示しないが出力端子６を介して信号処理用のマイコンに供給され、その信号処理用のマイコンにおいて、ミュート処理、同期切り換え等に使用される。
【０００８】
なお、マイコン３において、無信号検出に用いられるしきい値としての設定データは、入力端子４から供給されたデータ設定信号によって容易に変更することができる。このデータ設定信号は、入力端子４からメモリ５へ供給される。そして、メモリ５では、供給されたデータ設定信号によって、マイコン３で使用される設定データが所定のものに設定される。この設定データは、メモリ５からマイコン３へ供給される。
【０００９】
ここで、この発明の映像信号検出の一実施例のタイミングチャートを図２に示す。図２Ａは、入力された映像信号が無信号か否かを示し、ＯＫで示される領域の信号は、有意な映像信号を意味し、ＮＧで示される領域の信号は、無信号を意味する。図２Ｂは、垂直同期信号を示し、図２Ｃは、この垂直同期信号の立ち上がりエッジの検出を行う処理を示す。図２Ｄは、垂直同期信号の立ち上がりエッジが検出されたときの時刻データをマイコン３に内蔵されたカウンタから取り込む処理を示す。
【００１０】
図２Ｅは、周期測定の処理、すなわち取り込んだ時刻データから立ち上がりエッジの間隔の測定を行う処理を示す。この図２Ｅにおいて、黒い四角で示した部分は、取り込まれた時刻データからエッジ間隔の測定を行う領域を示し、白い四角で示した部分は、取り込まれた時刻データが前回と同じため何も処理を施さない領域を示す。このエッジ間隔の測定を行う領域は、同期信号と同期せず、所定の間隔で定期的に繰り返される。図２Ｆに示すようにエッジ間隔が所定の範囲内ならば有意な映像信号が供給されている（ＯＫ）ものとし、範囲外ならば無信号が供給されている（ＮＧ）ものとする。図２Ｆにおいて、ＯＫ＝ｘ、ＮＧ＝ｙは、ＯＫがｘ回連続して検出され、ＮＧがｙ回連続して検出されることを表し、またＯＫおよびＮＧの一方が検出されるとＯＫおよびＮＧの他方の回数が初期化（０回に設定）される。このように、ＯＫまたはＮＧが連続してｎ回続くと無信号か否かの判定がなされる。図２Ｇには、判定結果が無信号検出フラグとして示される。この図２は、所定の回数ｎを７とした一例である。
【００１１】
次に、この発明の一実施例において、立ち上がりエッジが検出されることなく所定の時間経過した場合のタイミングチャートを図３に示す。上述した図２と同様に、図３Ａは、入力された映像信号が無信号か否かを示し、ＯＫで示される領域の信号は、有意な映像信号を意味し、ＮＧで示される領域の信号は、無信号を意味する。図３Ｂは、垂直同期信号を示し、図３Ｃは、この垂直同期信号の立ち上がりエッジの検出を行う処理を示し、図３Ｄは、垂直同期信号の立ち上がりエッジが検出されたときの時刻データをマイコン３に内蔵されたカウンタから取り込む処理を示す。
【００１２】
図３Ｅは、周期測定の処理、すなわち取り込んだ時刻データから立ち上がりエッジの間隔の測定を行う処理を示す。この図３Ｅにおいても上述と同様に、黒い四角で示した部分は、取り込まれた時刻データからエッジ間隔の測定を行う領域を示し、白い四角で示した部分は、取り込まれた時刻データが前回と同じため何も処理を施さない領域を示す。図３Ｆに示すようにエッジ間隔が所定の範囲内ならば有意な映像信号が供給されている（ＯＫ）ものとし、範囲外ならば無信号が供給されている（ＮＧ）ものとする。図３ＦのＯＫ＝ｘ、ＮＧ＝ｙの表記も上述と同様にある。
【００１３】
図３Ｇは、時刻データが取り込まれる毎にタイマーがカウントする処理を示す。すなわち、時刻データが取り込まれる毎にタイマーが更新される。また、新たに立ち上がりエッジが検出されることなく所定の時間経過する（タイムアウト）場合、無信号の判定がなされる。このとき、一例として、１６ビットタイマが用いられ、上述した時刻データを取り込むときのカウンタと同じものを使用しても良い。図３Ｈには、判定結果が無信号検出フラグとして示される。この図３は、所定の時間を４６６［ｍｓｅｃ］とした一例である。
【００１４】
上述した、図２および図３のエッジの間隔、所定のＯＫまたはＮＧの回数ｎ、および所定のタイムアウトの時間は、メモリ５から供給される設定データであって、外部（入力端子４）からのデータ設定信号によって、容易に変更することができる。
【００１５】
ここで、この発明の映像信号検出の立ち上がりエッジ検出に係る一実施例のフローチャートを図４に示す。ステップＳ１の立ち上がりエッジ検出からこのフローチャートに示される処理は、始まり、このステップＳ１では、垂直同期信号の立ち上がりエッジが検出される。ステップＳ２では、検出された立ち上がりエッジの時刻データがカウンタから取り込まれ、このフローチャートに示される処理が終了する。
【００１６】
そして、この発明の映像信号検出方法の一実施例を図５に示す。ステップＳ１１の周期測定からこのフローチャートに示される処理は、始まり、このステップＳ１１では、検出された立ち上がりエッジの時刻データから周期が測定される。ステップＳ１２では、測定された周期の判定がなされ、所定の範囲内の周期と判定された（ＯＫ）場合、ステップＳ１３へ制御が移り、所定の範囲外の周期と判定された（ＮＧ）場合、ステップＳ２１へ制御が移る。ステップＳ１３では、ＯＫと判定された回数が＋１（インクリメント）され、ＮＧと判定された回数が初期化（０が設定）される。
【００１７】
ステップＳ１４では、ＯＫの回数がｎ回より大きいか否かが判定され、大きいと判定された場合、ステップＳ１５へ制御が移り、等しい、または小さいと判定された場合、ステップＳ１６へ制御が移る。ステップＳ１５では、ＯＫの回数がｎ回に設定され、ステップＳ１６へ制御が移る。ステップＳ１６では、ＯＫの回数が予め設定されたｎ回と等しいか否かが判定され、等しいと判定された場合、ステップＳ１７へ制御が移り、等しくないと判定された場合、ステップＳ１９へ制御が移る。ステップＳ１７では、タイマの更新、すなわちタイマがリセットされ、ステップＳ１８へ制御が移る。ステップＳ１８では、入力された映像信号が有意な信号と判断され、無信号検出フラグが  ｀Ｈ’  に設定され、このフローチャートに示される処理が終了する。
【００１８】
ステップＳ１９では、タイムアウトか否かが判定され、タイムアウトと判定された場合、ステップＳ２０へ制御が移り、タイムアウトでないと判定された場合、このフローチャートに示される処理が終了する。ステップＳ２０では、入力された映像信号が無信号と判定され、無信号検出フラグは  ｀Ｌ’  に設定され、このフローチャートに示される処理が終了する。
【００１９】
ステップＳ２１では、ＯＫと判定された回数が初期化（０が設定）され、ＮＧと判定された回数が＋１（インクリメント）される。ステップＳ２２では、ＮＧの回数がｎ回より大きいか否かが判定され、大きいと判定された場合、ステップＳ２３へ制御が移り、等しい、または小さいと判定された場合、ステップＳ２４へ制御が移る。ステップＳ２３では、ＮＧの回数がｎ回に設定され、ステップＳ２４へ制御が移る。ステップＳ２４では、ＮＧと判定された回数が予め設定されたｎ回と等しいか否かが判定され、等しいと判定された場合、ステップＳ２０へ制御が移り、等しくないと判定された場合、ステップＳ１９へ制御が移る。
【００２０】
この図５に示されるフローチャートのステップＳ１４およびＳ１５は、ＯＫの回数が所定の回数を超えるため、クリップ処理を行う処理であり、このステップＳ１４およびＳ１５を取り除き、ステップＳ１６において、ＯＫ≧ｎとする判定を実行することで同様の効果を得ることができる。同様に、ステップＳ２２およびＳ２３は、ＮＧの回数が所定の回数を超えるため、クリップ処理を行う処理であり、このステップＳ２２およびＳ２３を取り除き、ステップＳ２４において、ＮＧ≧ｎとする判定を実行することで同様の効果を得ることができる。このとき、図２Ｆおよび図３Ｆに示されるＯＫおよびＮＧの回数は、７を超えて表示される。
【００２１】
【発明の効果】
この発明に依れば、チューナ出力等の映像信号に関する無信号検出のアルゴリズムを全てソフトウェアで構成することにより、無信号か否かのしきい値を外部から容易に変更することができる。
【図面の簡単な説明】
【図１】この発明に係る映像信号検出装置の一例である。
【図２】この発明の映像信号検出の一実施例のタイミングチャートである。
【図３】この発明の映像信号検出の一実施例のタイミングチャートである。
【図４】この発明のエッジ検出の一実施例のフローチャートである。
【図５】この発明の映像信号検出の一実施例のフローチャートである。
【符号の説明】
２・・・垂直同期信号検出回路、３・・・マイコン、５・・・メモリ
【図１】
0003575159.tif 000002
【図４】
0003575159.tif 000003
【図２】
0003575159.tif 000004
【図３】
0003575159.tif 000005
【図５】
0003575159.tif 000006